(57)【要約】 【課題】  シャッター駆動機構等の複雑な装置が不要である反面、安価な費用で印刷シートが焦げたり、燃えたりするなど乾燥機本体による熱的損傷を防止することができるシート乾燥機を提供すること。【解決手段】  シート乾燥機は、印刷機と、この印刷機に電気的に接続し、かつ、印刷機から送り出される印刷シートの前面に所要空間を有して配設される乾燥機本体とから成り、前記乾燥機本体は、印刷機の待機待ちの状態に連動して輻射加熱手段への電源供給を自動的に断つコントローラーを有する制御箱を備えていること。【選択図】  図１
2006015591.tif 000002
【特許請求の範囲】
【請求項１】
シート乾燥機は、印刷機と、この印刷機に電気的に接続し、かつ、印刷機から送り出される印刷シートの前面に所要空間を有して配設される乾燥機本体とから成り、前記乾燥機本体は、印刷機の待機待ちの状態に連動して輻射加熱手段への電源供給を自動的に断つコントローラーを有する制御箱を備えていることを特徴とするシート乾燥機。
【請求項２】
請求項１に於いて、制御箱には、乾燥機本体をタイマー式乾燥にするか、それとも連動式乾燥にするかを選択することができるモード切替えスイッチ５７が設けられていることを特徴とするシート乾燥機。
【請求項３】
請求項１に於いて、シート乾燥機１は、横長状の支持箱３３を有し、該支持箱内に左右一対のハロゲンヒーター３４Ａ．３４Ｂが設けられ、これらのハロゲンヒーターは、乾燥機本体の制御箱に設けた選択スイッチ５５Ａ．５５Ｂにより任意に点灯可能であることを特徴とするシート乾燥機。
【請求項４】
請求項１に於いて、コントローラーは、輻射加熱手段２５の開始ないし停止を表示する表示装置を制御することを特徴とするシート乾燥機。
【請求項５】
請求項１に於いて、コントローラーは、印刷機の駆動モータを駆動する供給電源の状態を検知する検出手段から検知信号を取得して輻射加熱手段２５への投入電力を停止するように制御することを特徴とするシート乾燥機。
【請求項６】
請求項１に於いて、乾燥機本体５は、自由端部に乾燥機本体５及び印刷機２用の電源を一括して取得することができる主電源取得手段２７を有する主接続コード２８を備え、また前記制御箱２６には、プリンター用コンセント５１が設けられていることを特徴とするシート乾燥機。
【請求項７】
請求項１に於いて、輻射加熱手段２５は、左右の縦支持杆２３にそれぞれ外嵌合する左右一対の縦長状嵌合筒３１．３１を有し、これらの嵌合筒３１．３１は、固定手段３２を介して所望する位置に固定されることを特徴とするシート乾燥機。
【請求項８】
請求項１に於いて、制御箱は、左右一対の縦支持杆のいずれか一方に高さ調整可能に固定されていることを特徴とするシート乾燥機。
【請求項９】
請求項１に於いて、制御箱２６は、輻射加熱手段２５の支持箱３３に設けられていることを特徴とするシート乾燥機。
【発明の詳細な説明】
【技術分野】
【０００１】
本発明は、産業用印刷機械の分野に関し、特に、インクジェット式印刷機械と乾燥機とを備えたシート乾燥機に関する。
【背景技術】
【０００２】
特許文献１には、「インクを噴射して対象物に付着させて印刷するインクジェット式印刷機と、この印刷機の送り出しローラから送り出された印刷シートを乾燥するために、印刷シートに対して均等に配置された複数のハロゲンヒーターを有する乾燥機本体と、異常時にシャッターをシャッター収容部から取り出し、前記印刷シートに対して乾燥機本体からの光を遮断するシャッター駆動機構とを備えたシート乾燥機」が開示されている。
【０００３】
上記構成のシート乾燥機は、シャッター駆動機構を備えているので、異常時に、シャッター駆動機構を起動させ、印刷シートに対する加熱を遮断することができるので、印刷シートが焦げたり、燃えたりするなど乾燥機による熱的損傷を防止することができるという利点があるものの、装置が大掛かりなものになるという問題があった。
【特許文献１】特許公開２００３−１７０５７３号公報
【発明の開示】
【発明が解決しようとする課題】
【０００４】
本発明の第１の目的は、シャッター駆動機構等の複雑な装置が不要である反面、安価な費用で印刷シートが焦げたり、燃えたりするなど乾燥機本体による熱的損傷を防止することができるシート乾燥機を提供すること。第２の目的は、印刷シートに印刷される情報（印刷内容）に対応してモード切替えを任意に行うことができること。第３の目的は、乾燥機本体の運転状態を視覚で確認することができること。第４の目的は、無駄な電力を消費しないこと。第５の目的は、印刷すべき対象物に対応して、輻射加熱手段を所望の位置に簡単にセットすることができること。第６の目的は、操作し易いように、制御箱の位置を所望の位置に簡単にセットすることができること。その他乾燥機本体を合理的に構成し、印刷機に対して自由に前後動させることができること、乾燥設定の操作が簡単であること、制御箱のコンパクト化を図ること等である。
【課題を解決するための手段】
【０００５】
本発明のシート乾燥機は、印刷機と、この印刷機に電気的に接続し、かつ、印刷機から送り出される印刷シートの前面に所要空間を有して配設される乾燥機本体とから成り、前記乾燥機本体は、印刷機の待機待ちの状態に連動して輻射加熱手段への電源供給を自動的に断つコントローラーを有する制御箱を備えていることを特徴とする。
【０００６】
上記構成に於いて、制御箱には、乾燥機本体５をタイマー式乾燥にするか、それとも連動式乾燥にするかを選択することができるモード切替えスイッチ５７が設けられている。またシート乾燥機１は、横長状の支持箱３３を有し、該支持箱内に左右一対のハロゲンヒーター３４Ａ．３４Ｂが設けられ、これらのハロゲンヒーターは、乾燥機本体５の制御箱に設けた選択スイッチ５５Ａ．５５Ｂにより任意に点灯可能である。その他の特徴は、請求項４乃至請求項８に記載されている。
【発明の効果】
【０００７】
（１）請求項１に記載の発明は、シャッター駆動機構等の複雑な装置が不要である反面、安価な費用で印刷シートが焦げたり、燃えたりするなど乾燥機本体による熱的損傷を防止することができる。
（２）請求項２に記載の発明は、印刷シートに印刷される情報（印刷内容）に対応してモード切替えを任意に行うことができる。
（３）請求項３に記載の発明は、乾燥機本体の運転状態を視覚で確認することができる。その他、本発明は、各従属項に対応してそれぞれの目的を達成することができる。
【発明を実施するための最良の形態】
【０００８】
以下、図１乃至図８に示す本願発明の実施の形態について説明する。図１乃至図３の各説明図に於いて、１はインクジェット式印刷機械(以下、「印刷機２」という)用のシート乾燥機で、このシート乾燥機１は、印刷機２と、この印刷機２に電気的に接続し、かつ、印刷機２から垂れ流し状に送り出される印刷シート３の前面に所要空間４を有して配設される乾燥機本体５とから成る。すなわち、乾燥機本体５は、印刷機２の前方に、垂直方向下方に流れる印刷シート３の前面に付着したインクを乾燥することができるように離間して前後方向に移動自在に配設されている。
【０００９】
まず、印刷機２の具体的構成を簡単に説明する。印刷機２は、複数個のキャスター６を有する左右一対の支持台７と、これらの支持台７．７の中央部にそれぞれ立設された左右一対の支持脚８．８と、これらの支持脚８．８の上端部に設けられた横型のプリンター９と、プリンター９の適宜箇所（例えば右側）に設けられたタッチパネル式の操作部１０と、プリンター９又は支持脚８の適宜箇所に支持板を介して固定的に設けられた単数又は複数の駆動モータ１１と、図示しない減速機構及び同期手段１２（図３）を介して所定方向に回転する送り出しローラ１３及び巻き取りローラ１４とを備え、前記プリンター９は、接続コード１５の自由端部に差込み自在な電源取得手段（差込みプラグ）１６を有している。
【００１０】
また、プリンター９は、入力手段の一例として操作部１０以外に、例えば制御手段、記憶手段、出力部、送り出しローラ１３を含むシート給紙部、印刷シート３に対してインクを噴射して付着させるインク噴射部、付着したインクを乾燥させるインク乾燥部等を備えている（符号省略）。
【００１１】
さらに、図３で示すように、印刷が正常に終了した場合に自動的に起動する待機待ち設定手段（パワーセイブ等）１７、操作部１０に設けられた待機待ち解除用ＯＮ／ＯＦＦスイッチ１８、乾燥機本体５から接続コード１５を介して供給されてくる電源を安定的にする電源回路１９等を備えている。印刷機２はその他の必要な公知事項を備えている。
【００１２】
次に、図１、図２を参照にして乾燥機本体５の構成を簡単に説明する。乾燥機本体５は、複数個のキャスター２１を有する左右一対の横支持杆２２と、これらの横支持杆２２．２２の中央部にそれぞれ立設された左右一対の角型縦支持杆２３．２３と、これらの角型縦支持杆２３．２３の下端部又は前記横支持杆２２に横架された角型パイプ状の連結杆２４と、前記縦支持杆２３．２３の所望位置に固定的に横設され、かつ、前方側に複数個のハロゲンランプを有する輻射加熱手段２５と、前記縦支持杆２３に取り外し可能に装着（例えば嵌着）する制御箱２６と、この制御箱２６内のコントローラーに電気的に接続し、かつ、自由端部に乾燥機本体５及び印刷機２用の電源を一括して取得することができる主電源取得手段（差込みプラグ）２７を有する主接続コード２８とから成る。
【００１３】
なお、左右一対の角型縦支持杆２３．２３の間隔は、印刷機２の左右の支持脚８．８よりも短く、図１で示すように、横支持杆２２．２２が印刷機２の左右の支持台７．７内へと入り込み可能である。したがって、図１では、シート乾燥機１の各キャスター２１、６、２１、６は交互に見える。
【００１４】
次に、図４、図５を参照にして輻射加熱手段２５の具体的構成を説明する。輻射加熱手段２５は、左右の縦支持杆２３にそれぞれ外嵌合する左右一対の縦長状嵌合筒３１．３１を有している。したがって、嵌合筒３１の内径は、縦支持杆２３の外径寸法を考慮して設定されている。
【００１５】
３２は縦支持杆２３に対して縦長状嵌合筒３１を所望位置に固定する複数個の固定手段である。したがって、嵌合筒３１は、半径方向に貫通状の単数又は複数のメネジ孔を有し、該メネジ孔に摘み部を有する固定手段３２が螺合する。
【００１６】
３３は、左右の嵌合筒３１．３１の間に直接又は支板を介して固定的に設けられる横長状の支持箱で、この支持箱３３内に左右一対のハロゲンヒーター３４Ａ．３４Ｂが設けられている。なお、図４で示すように各ハロゲンヒーター３４Ａ．３４Ｂの直ぐ前方には、網体３５．３５が設けられている。
【００１７】
ハロゲンヒーター３４Ａ．３４Ｂは、両端封止型の棒状ランプである。本実施例では、網体３５．３５の内側にそれぞれ１本（計２本）設けられている。もちろん、１本に限定するものではなく、各二本（計４本）、各三本（計六本）でも良い。
【００１８】
輻射加熱手段２５は、支持箱３３内に左右一対の放物面鏡の反射板３６．３６を有し、これらの反射板３６．３６は、各ハロゲンヒーター３４Ａ．３４Ｂの背後に設けられている。各反射板は、ハロゲンヒーター３４Ａ．３４Ｂから照射された光を略平行光となるように印刷シート３に対して照射する。反射板の具体的構成に関しては本発明の限定要件ではないので割愛する。
【００１９】
次に、図６、図７を参照にして制御箱２６について説明する。制御箱２６は、図６で示すように手前側の一側壁２６ａに固定（例えば溶着）された端面角型の嵌合固定筒４１を有し、該嵌合固定筒４１は、左右いずれか一方の縦支持杆２３に嵌合した後に、該縦支持杆２３の上端部に固定手段４２を介して固定される。したがって、図１で示すように、制御箱２６は、横長箱状の輻射加熱手段２５より上方に配設されている。
【００２０】
そこで、制御箱２６に設けられたコンセント、操作手段、表示手段等について説明する。まず、図６で示す手前側の一側壁２６ａには、プリンター用のコンセント５１が設けられている。このコンセント５１にプリンター９の電源取得手段（差込みプラグ）１６を差し込むと、プリンター９と乾燥機本体５は電気的に接続し、当該プリンター９は、乾燥機本体５を介して電源６４を取得することができる。５２はフューズホルダー（缶フューズ内蔵）である。
【００２１】
次に、図７は制御箱２６の上壁２６ｂを示す平面図である。この上壁２６ｂには操作手段及び表示部が設けられている。図７を基準にすると、紙面上、上壁２６ｂの中央部上方には小さな電源ランプ５３が設けられている。この電源ランプ５３は電源６４を室内の適当なコンセントから取得したか否かを視覚により確認するもので、例えば電源ランプ５３が点灯すると、乾燥機本体５に電源がきていることを示す。
【００２２】
また、５４は上壁２６ｂの右側上部に設けられた切り換え式の操作スイッチ（メインスイッチ）である。メインスイッチ５４を「ＯＮ」にすると、当該プリンター９は、乾燥機本体５、電源取得手段１６及び接続コード１５を介して電源６４を取得することができる。そこで、操作者は、印刷機２が待機状態１７になっているか否か、パワーセイブを解除したか否か等印刷可能な状態を確認することができる。
【００２３】
５５Ａ、５５Ｂはメインスイッチ５４の左隣に併設されたハロゲンヒーター３４Ａ．３４Ｂ用選択スイッチである。これらの選択スイッチ５５Ａ、５５Ｂの上方には「ヒーター１」、「ヒーター２」の文字が表示されており、例えばハロゲンヒーター３４Ａ．３４Ｂ（２灯）の両方を点灯させたい場合には、両方５５Ａ、５５Ｂを「ＯＮ」にする。したがって、印刷態様によりハロゲンヒーター３４Ａのみを点灯したい場合には、選択スイッチ５５Ａのみを「ＯＮ」にする。
【００２４】
５６はハロゲンヒーター３４Ａ．３４Ｂ用のボリューム調整摘みで、例えばこのボリューム調整摘み５６を時計方向に回転すると、ハロゲンヒーター３４Ａ．３４Ｂが強くなる。
【００２５】
５７は、乾燥機本体５をタイマー式で使用（乾燥）するか、それとも印刷機２で連動させて使用するかを選択するためのモード切替えスイッチである。例えばモード切替えスイッチ５７を左側に倒すと、「タイマー式乾燥」であり、一方、右側に倒すと、少なくとも印刷機２の待機待ち手段１７に連動して乾燥機本体５の輻射加熱手段２５への電源供給が断たれる「連動式乾燥」である。
【００２６】
５８は切替えスイッチ５７を左側に倒してタイマー式乾燥に設定した場合に於いて、乾燥時間を設定するダイヤル式の時間設定手段である。５９は、輻射加熱手段２５の乾燥開始用スイッチで、この乾燥開始用スイッチ５９は、表示機能を有し、例えばタイマーをセットした場合に於いて、タイマー設定時間になると、自動的に消灯する。
【００２７】
一方、６０は乾燥停止用スイッチである。そして、６１は切替えスイッチ５７を右側に倒して連動式乾燥に設定した場合に於いて、印刷機２（プリンター９）が当該印刷を終了して待機待ちの状態になった場合に、印刷機２が停止した旨を表示する表示部である。この表示部６１には、例えば印刷機２が起動中はランプが消え、一方、印刷機２が待機待ちの状態になった場合にはランプが点灯する。
【００２８】
その他、上壁２６ｂには、印刷機２（プリンター９）が印刷を終了した場合に於いて、所定時間（例えば１５秒、１７秒、１９秒など）経過に輻射加熱手段２５を停止させるための停止時間遅延設定手段６２が設けられている。例えばこの停止時間遅延設定手段６２を、反時計方向へ回すと、所定時間を遅延させることができる。その他の細部的事項は割愛する。
【００２９】
次に、図８を参照にして本発明の乾燥機本体の電気的構成を説明する。６５は、プリンター９の作動時ないし停止時の電流値を検出する検出手段である。この検出手段６５は、プリンター９が消費する電気抵抗、電気容量、電圧等を検出するものである。待機待ち設定の状態をスイッチ１８で解除し、印刷を開始すると、印刷機２の駆動モータ１１が起動するから、作動時ないし作動中（印刷中）の電流値は高くなる。一方、印刷が終了すると、電流値は小さくなる。したがって、印刷機２の待機待ち状態は電流値が小さい。
【００３０】
６６は、検出手段６５から検出信号を受け取るコントローラーである。コントローラー６６は、検出手段６５から検出信号を受け取ると、記憶部６７に記憶している基準値にアクセスする。基準値は、プリンター９の電流値に関する情報で、本実施例では乾燥機本体５に必要な制御情報と共に予め基準値も記憶部６７に格納しておく。
【００３１】
６８は乾燥停止判定手段で、この乾燥停止判定手段６８は、検出手段６５から送られて来た検出信号（電流値）と記憶部６７に記憶されている電流値に関する基準値とを比較してプリンター９が待機待ちの状態になったか否かを判定する。したがって、この乾燥停止判定手段６８には、例えば電流値を対比することができる比較器が用いられている。
【００３２】
コントローラー６６は、乾燥停止判定手段６８の判定信号に従い、輻射加熱手段２５に対する電源出力を制御６９する。この電源出力制御６９は、ハロゲンヒーター３４Ａ，３４Ｂに対する投入電力を調整するものであっても良いが、本実施例では、電力を断つスイッチィング回路である。
【００３３】
また、コントローラー６６は、判定信号に従い、表示装置５９，６０，６１に対する表示を制御７０する。この表示制御７０は、タイマー式乾燥であるか、それとも連動式乾燥であるかによって異なるが、たとえば、連動式乾燥である場合において、乾燥停止判定手段６８の判定信号が「プリンターが停止した旨」の信号の時は、表示部６０を点灯させる。
【００３４】
したがって、この表示制御７０は、表示装置５９，６０，６１に対する点灯、消灯信号を出力する表示信号出力回路である。それ故に、表示制御７０は、タイマー回路７１、信号遅延回路７２等により、その信号の出力態様や時期を制御する。
【００３５】
さらに、コントローラー６６は、前述した操作手段５２，５４，５５Ａ、５５Ｂ５６，５７，５８，６２の操作力に基づいて、それぞれの信号を受け取り、電源、電圧、表示等の信号を適宜に処理する。たとえば、メインスイッチ５４を「ＯＮ」にすると、商業用電源６４から電力の供給を受けて電源ランプ５３が点灯すると共に、検出手段６５、プリンター用コンセント５１、電源取得手段１６、接続コード１５等を介して、印刷機２に対する電源の供給を可能にする。
【００３６】
上記構成において、シート乾燥機１を使用する場合の一態様について簡単に説明する。
【００３７】
まず、図１で示すように、乾燥機本体５を印刷機２の前方に離間して配置する。この時、印刷シート３の前方に輻射加熱手段２５が所要空間４を有して位置するように高さ調整及び間隔調整をする。輻射加熱手段２５の高さ調整は、固定手段３２により、一方、間隔調整は乾燥機本体５を前後に動かすことにより可能である。なお、制御箱２６の高さ調整も固定手段４２により行うことができる。
【００３８】
次に乾燥機本体５の主電源取得手段２７を室内のコンセントに差し込む。また、印刷機１２の電源取得手段１６を制御箱２６のプリンター用コンセント５１に差し込む。
【００３９】
次に、メインスイッチ５４を「ＯＮ」にすると共に、プリンター９の印刷すべきメディアにより、モード切替えスイッチ５７、ヒーター１、ヒーター２用の選択スイッチ５５Ａ，５５Ｂ，ボリューム調整摘み５６などの操作手段をそれぞれ適宜に操作する。前述したように、モード切替えスイッチ５７で、タイマーで乾燥させるのか、プリンター９と連動させて、乾燥させるのかを選ぶことができる。
【実施例】
【００４０】
発明の実施の形態で示した実施例に於いて、制御箱２６は、本実施例では、輻射加熱手段の上方に配設されているが、該制御箱２６は縦支持杆２３の所望する位置に任意に固定することができるから、輻射加熱手段の下方に配設しても良い。また、特に図示しないが、地震の際、輻射加熱手段の加熱を即時に停止することができるように、電源を自動的に切る感震器を制御箱２６に内蔵しても良い。
【００４１】
次に、図９は、本発明の第２実施例である。なお、第１実施例と同一の部分には同一の符号を付して重複する説明を省略する。第１実施例で説明したように、本発明の乾燥機本体５は、制御箱２６及びプリンター用のコンセント５１を有している。この第２実施例は、前記制御箱２６及びコンセント５１の取付け箇所を縦支持杆２３ではなく、輻射加熱手段２５の方に設けた点が異なる。しかも、装置のコンパクト化を図るために、制御箱２６を輻射加熱手段２５の支持箱３３に極力内装すると共に、操作部１０を有する壁２６ｂとコンセント５１を有する壁２６ａを別個に配設している。このように構成しても、第１実施例と同一の目的・効果を達成することができる。なお、制御箱２６の形態は問わない。
【産業上の利用可能性】
【００４２】
本発明は、主に産業用印刷機械の分野で利用される。
【図面の簡単な説明】
【００４３】
図１乃至図８は本発明の最良の実施例（第１実施例）を示す各説明図。図９は本発明の第２実施例を示す説明図。
【図１】右側面から見た概略説明図。
【図２】正面から見た概略説明図（乾燥機本体は背面が見える）。
【図３】印刷機と乾燥機本体との電気的関係を示す概略説明図。
【図４】乾燥機本体の正面からの説明図。
【図５】図４を基準にした平面からの説明図。
【図６】乾燥機本体の制御箱等斜視図。
【図７】制御箱の平面からの説明図。
【図８】コントローラーを中心とする構成図。
【図９】本発明の最良の実施例（第２実施例）を示す説明図。
【符号の説明】
【００４４】
1…シート乾燥機、２…印刷機、３…印刷シート、４…所要空間、５…乾燥機本体、７…支持台、８…支持脚、９…プリンター、１０…操作部、１１…駆動モータ、１３…送り出しローラ、１４…巻き取りローラ、１５…接続コード、１６…電源取得手段、１９…電源回路、２２…横支持杆、２３…縦支持杆、２４…連結杆、２５…輻射加熱手段、２６…制御箱、２７…主電源取得手段、２８…主接続コード、３１…嵌合筒、３２…固定手段、３３…支持箱、３４Ａ．３４Ｂ…ハロゲンヒーター、３５…網体、３６…反射板、４１…嵌合固定筒、４２…固定手段、５３…電源ランプ、５４…メインスイッチ、５５Ａ、５５Ｂ…選択スイッチ、５７…モード切替えスイッチ、６０．６１…表示部、６４…電源、６６…コントローラー、６５…検出手段、６７…記憶部、６８…乾燥停止判定手段、６９…電源出力制御、７０…表示制御、７１…タイマー回路、７２…信号遅延回路。
【図１】
2006015591.tif 000003
【図２】
2006015591.tif 000004
【図３】
2006015591.tif 000005
【図４】
2006015591.tif 000006
【図５】
2006015591.tif 000007
【図６】
2006015591.tif 000008
【図７】
2006015591.tif 000009
【図８】
2006015591.tif 000010
【図９】
2006015591.tif 000011